(57)【特許請求の範囲】
【請求項１】
ＬＥＤ光源と、該ＬＥＤ光源からの光を反射する反射部材と、を備え、
前記ＬＥＤ光源は、一列に配置された複数のＬＥＤを有し、前記複数のＬＥＤの配置方向と直交する向きが光軸方向となっており、
前記反射部材は、断面視において、パラボラ曲線となる反射面を有しており、
前記ＬＥＤ光源と前記反射部材とは、前記ＬＥＤ光源の光軸方向と、前記ＬＥＤ光源の光軸方向に沿った光が前記反射面で反射されて投光される投光方向とが直交するように配置されており、
前記反射面は、前記ＬＥＤ光源からの光を反射する第１反射面と、前記ＬＥＤ光源からの光を前記第１反射面よりも拡散させて反射する第２反射面とを有し、
前記第１反射面には、前記ＬＥＤ光源の光軸方向に沿った光がパラボラ曲線の焦点を通って照射され、
前記第２反射面は、前記ＬＥＤ光源の光軸方向に沿った方向において、前記第１反射面よりも、前記ＬＥＤ光源に近いことを特徴とする投光器。
【請求項２】
前記ＬＥＤ光源と前記反射部材とが内部に設けられ前記反射面で反射された前記ＬＥＤ光源からの光を開口部から外部に投光させる器具本体を備え、
前記器具本体は、前記ＬＥＤ光源の光軸方向の前方に遮光板を設けており、
該遮光板は、前記ＬＥＤ光源から前記開口部に直接的に照射される光路の少なくとも一部を遮るように前記ＬＥＤ光源を覆うことを特徴とする請求項１に記載の投光器。
【請求項３】
前記開口部を塞ぐように前記器具本体に設けられる透光性の保護パネルを備え、
前記保護パネルは、前記ＬＥＤ光源から離れるにつれ、前記保護パネルの表面の垂線方向が投光方向から離れる向きに配置されており、前記保護パネルの表面の垂線方向と投光方向とのなす角が鋭角となるように構成されていることを特徴とする請求項２に記載の投光器。
【発明の詳細な説明】
【技術分野】
【０００１】
本発明は、投光器に関し、特に、光を一定方向に集中して照らすことが可能な投光器に関する。
【背景技術】
【０００２】
近年、ＬＥＤ(light emitting diode)を光源とする投光器が利用され始めている。
【０００３】
この種の投光器としては、樋状の反射板と、反射板の長手方向に配列された複数のＬＥＤとを備えた構成が知られている（たとえば、特許文献１）。
【０００４】
特許文献１の投光器では、反射板は、断面がパラボラ曲線となる反射面を有している。複数のＬＥＤは、光軸がパラボラ曲線方向であり、パラボラ曲線の焦点位置に配設されている。特許文献１の投光器では、反射板のパラボラ曲線の焦点位置にＬＥＤが配設されることで、良好な投光特性を得ることができる、とされている。
【先行技術文献】
【特許文献】
【０００５】
【特許文献１】特開２０１１−１４２０１９号公報
【発明の概要】
【発明が解決しようとする課題】
【０００６】
ところで、投光器は、様々な場所に設置される可能性があり、人が投光器の発光面を覗き込むことができるような場所に設置される場合もある。投光器は、人が発光面を覗き込んだ場合、複数のＬＥＤが配置された場所と、ＬＥＤ同士の間に対応する場所とで、ＬＥＤからの光の輝度むらが発光面に観測される場合もある。投光器は、より輝度むらが少ない構成が求められており、上述の投光器の構成だけでは十分でなく、更なる改良が求められている。
【０００７】
本発明の目的は、より輝度むらが少ない投光器を提供することにある。
【課題を解決するための手段】
【０００８】
本発明の投光器は、ＬＥＤ光源と、反射部材と、を備えている。上記反射部材は、上記ＬＥＤ光源からの光を反射する。上記ＬＥＤ光源は、一列に配置された複数のＬＥＤを有している。上記ＬＥＤ光源は、上記複数のＬＥＤの配置方向と直交する向きが光軸方向となっている。上記反射部材は、断面視において、パラボラ曲線となる反射面を有している。上記ＬＥＤ光源と上記反射部材とは、上記ＬＥＤ光源の光軸方向と、上記ＬＥＤ光源の光軸方向に沿った光が上記反射面で反射されて投光される投光方向とが直交するように配置されている。上記反射面は、第１反射面と、第２反射面とを有している。上記第１反射面は、上記ＬＥＤ光源からの光を反射する。上記第２反射面は、上記ＬＥＤ光源からの光を上記第１反射面よりも拡散させて反射する。上記第１反射面には、上記ＬＥＤ光源の光軸方向に沿った光がパラボラ曲線の焦点を通って照射される。上記第２反射面は、上記ＬＥＤ光源の光軸方向に沿った方向において、上記第１反射面よりも、上記ＬＥＤ光源に近いことを特徴とする。
【発明の効果】
【０００９】
本発明の投光器は、より輝度むらが少ない構成とすることが可能となる。
【図面の簡単な説明】
【００１０】
【図１】実施形態の投光器を示す断面図である。
【図２】実施形態の投光器を説明する正面図である。
【図３】実施形態の投光器を示す側面図である。
【図４】実施形態の投光器の要部を説明する部分拡大図である。
【図５】実施形態の投光機の要部を説明する正面図である。
【図６】実施形態の投光機の要部の構成を示す模式的な回路図である。
【図７】実施形態の投光器の電気的接続を示す模式図である。
【図８】実施形態と比較する比較例の投光器を示す模式図である。
【発明を実施するための形態】
【００１１】
以下では、本実施形態の投光器３０について、図１ないし図７を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の投光器３０は、図１ないし図３に示すように、ＬＥＤ光源１０と、反射部材３７と、を備えている。反射部材３７は、ＬＥＤ光源１０からの光を反射する。ＬＥＤ光源１０は、図４および図５に示すように、一列に配置された複数のＬＥＤ２を有している。ＬＥＤ光源１０は、複数のＬＥＤ２の配置方向と直交する向きが光軸方向３０ａｘとなっている。反射部材３７は、断面視において、パラボラ曲線となる反射面３７ａａを有している。ＬＥＤ光源１０と反射部材３７とは、ＬＥＤ光源１０の光軸方向３０ａｘと、ＬＥＤ光源１０の光軸方向３０ａｘに沿った光が反射面３７ａａで反射されて投光される投光方向３０ａｙとが直交するように配置されている。反射面３７ａａは、第１反射面３７ａｒと、第２反射面３７ｂｒとを有している。第１反射面３７ａｒは、ＬＥＤ光源１０からの光を反射する。第２反射面３７ｂｒは、ＬＥＤ光源１０からの光を第１反射面３７ａｒよりも拡散させて反射する。第１反射面３７ａｒには、ＬＥＤ光源１０の光軸方向３０ａｘに沿った光がパラボラ曲線の焦点３０ａｚを通って照射される。第２反射面３７ｂｒは、ＬＥＤ光源１０の光軸方向３０ａｘに沿った方向において、第１反射面３７ａｒよりも、ＬＥＤ光源１０に近い。
【００１３】
本実施形態の投光器３０は、第１反射面３７ａｒよりも光を拡散させて反射する第２反射面３７ｂｒを、ＬＥＤ光源１０の光軸方向３０ａｘに沿った方向において、ＬＥＤ光源１０の近くに設けることで、より輝度むらを少なくすることが可能となる。
【００１４】
投光器３０は、たとえば、建物の一部や表示板などに光を照射することができる。以下では、本実施形態の投光器３０の各構成について説明する。まず、投光器３０に用いられるＬＥＤ光源１０について詳述する。ＬＥＤ光源１０は、図４および図５に示すＬＥＤモジュール１０ａを用いることができる。
【００１５】
ＬＥＤモジュール１０ａは、図４および図５に示すように、複数のＬＥＤ２と、配線基板３と、を備えている。配線基板３は、複数のＬＥＤ２が一列に配置される。複数のＬＥＤ２は、複数の第１ＬＥＤ２ｆと、複数の第２ＬＥＤ２ｓと、を含んでいる。複数の第１ＬＥＤ２ｆそれぞれは、白色の光を放射する白色ＬＥＤである。複数の第２ＬＥＤ２ｓは、異なる有彩色の光を放射する２種類以上の有色ＬＥＤ２ｃを含んでいる。２種類以上の有色ＬＥＤ２ｃは、隣接して配置される有色ＬＥＤ２ｃから放射された異なる有彩色の光の混色により白色の光を放射する。複数のＬＥＤ２は、一対の第１ＬＥＤ２ｆと、一対の第１ＬＥＤ２ｆに挟まれる複数の第２ＬＥＤ２ｓとで、グループ１０Ｇを形成している。図４では、１つのグループ１０Ｇを一点鎖線で囲んで示している。複数のＬＥＤ２は、グループ１０Ｇを繰り返して一列に配置されている。グループ１０Ｇ内における第１ＬＥＤ２ｆと第１ＬＥＤ２ｆに隣接する第２ＬＥＤ２ｓとの間の第１距離２Ｎは、隣接するグループ１０Ｇにおける隣接する第１ＬＥＤ２ｆ同士の間の第２距離２Ｌよりも短い。図４では、第１ＬＥＤ２ｆの中心と隣接する第２ＬＥＤ２ｓの中心との間の中心距離で第１距離２Ｎを例示し、第１ＬＥＤ２ｆの中心と隣接する第１ＬＥＤ２ｆの中心との間の中心距離で第２距離２Ｌを例示している。
【００１６】
ＬＥＤモジュール１０ａは、グループ１０Ｇ内における第１ＬＥＤ２ｆと第２ＬＥＤ２ｓとの間の第１距離２Ｎが、隣接するグループ１０Ｇにおける第１ＬＥＤ２ｆ同士の間の第２距離２Ｌよりも短いことで、放射される光の色むらを少なくすることができる。
【００１７】
ＬＥＤモジュール１０ａは、ＬＥＤ２と配線基板３とに加え、各種の電子部品３ｊを備えている。ＬＥＤ２は、たとえば、ＬＥＤパッケージを利用することができる。ＬＥＤパッケージは、ＬＥＤチップ２ｊと、パッケージ２ｍと、封止部２ｎとを有する構成とすることができる。パッケージ２ｍは、直方体状の外形形状に形成することができる。パッケージ２ｍの材料としては、たとえば、合成樹脂材料を用いることができる。パッケージ２ｍは、正面視において、ＬＥＤチップ２ｊを収納する凹所を備えた構成とすることができる。パッケージ２ｍは、凹所の形状を適宜の形状にすることで、ＬＥＤ２から放射される光の指向角を所定の角度にすることができる。パッケージ２ｍは、アノード電極とカソード電極とが、背面側に設けられた構成とすることができる。アノード電極は、凹所に収納されたＬＥＤチップ２ｊの正極と電気的に接続されるよう構成される。カソード電極は、凹所に収納されたＬＥＤチップ２ｊの負極と電気的に接続されるよう構成される。アノード電極およびカソード電極は、たとえば、銅材を用いることができる。銅材は、たとえば、銀やニッケルなどでめっき処理することができる。
【００１８】
封止部２ｎは、パッケージ２ｍの凹所において、ＬＥＤチップ２ｊを封止する。封止部２ｎは、ＬＥＤチップ２ｊから放射された光を透過する透光性を備えている。封止部２ｎの材料としては、たとえば、シリコーン樹脂、エポキシ樹脂若しくはガラスなどを用いることができる。封止部２ｎは、ＬＥＤチップ２ｊから放射される光を拡散する拡散材を含有させてもよい。拡散材の材料としては、たとえば、酸化珪素若しくは酸化チタンなどを用いることができる。
【００１９】
ＬＥＤ２は、ＬＥＤチップ２ｊと、パッケージ２ｍと、封止部２ｎとを有する構成だけに限られない。ＬＥＤ２は、レンズを備えていてもよい。レンズは、ＬＥＤチップ２ｊからの光を、集光若しくは拡散して放射できればよい。ＬＥＤ２は、レンズにより、所定の配光の光を放射させることができる。ＬＥＤ２は、パッケージ２ｍの凹所の形状やレンズの形状により、放射される光を狭角配光とすることで、所定の照射領域に効率よく光を放射させることが可能となる。狭角配光のＬＥＤ２としては、最大光度の１／２の光度方向と、光軸とがなす角の２倍を示す１／２光度角を、１５°未満とした構成が挙げられる。ＬＥＤ２は、ＬＥＤチップ２ｊと、ＬＥＤチップ２ｊを配置させる実装基板と、ＬＥＤチップ２ｊを覆う透光性の被覆部とを有する構成としてもよい。ＬＥＤ２は、所定の色調の光を放射できる限り、ＬＥＤチップ２ｊ単体を用いてもよい。
【００２０】
ＬＥＤ２のうち、第１ＬＥＤ２ｆは、白色ＬＥＤを用いている。白色ＬＥＤは、たとえば、ＬＥＤチップ２ｊに、青色ＬＥＤチップを用いることができる。白色ＬＥＤは、封止部２ｎに、青色ＬＥＤチップから放射される青色光により励起されて黄色光を放射する黄色蛍光体を含ませることができる。白色ＬＥＤは、青色ＬＥＤチップから放射される青色光と、黄色蛍光体から放射される黄色光との混色により、白色の光を放射することができる。白色ＬＥＤの蛍光体としては、黄色蛍光体だけを用いる場合に限られず、赤色蛍光体と緑色蛍光体とを用いてもよい。白色ＬＥＤの蛍光体としては、黄色蛍光体と、赤色蛍光体とを用いてもよい。白色ＬＥＤは、青色ＬＥＤチップを用いる構成だけに限られず、紫外線を放射する紫外ＬＥＤチップと、赤色蛍光体、緑色蛍光体および青色蛍光体とを組み合わせて、白色の光を放射する構成としてもよい。
【００２１】
白色ＬＥＤは、適宜のＬＥＤチップ２ｊと、適宜の蛍光体とを組み合わせることで、所望の色調の白色の光を放射するように構成されている。白色の光とは、ＪＩＳ  Ｚ  ９１１２における昼光色、昼白色、白色、温白色及び電球色の光源色の区分の光を少なくとも含む。ＬＥＤモジュール１０ａは、第１ＬＥＤ２ｆとして、昼光色の光を放射することが可能な白色ＬＥＤを用いている。白色ＬＥＤは、光源色の区分が昼光色に該当するように、相関色温度が６５００Ｋの光を放射できる構成としている。
【００２２】
ＬＥＤ２のうち、第２ＬＥＤ２ｓは、異なる有彩色の光を放射する２種類以上の有色ＬＥＤ２ｃを用いている。図４および図５では、第１ＬＥＤ２ｆと第２ＬＥＤ２ｓとを区別しやすいように、平面視において、第１ＬＥＤ２ｆのパッケージ２ｍの凹所を矩形状とし、第２ＬＥＤ２ｓのパッケージ２ｍの凹所を円形で例示している。第１ＬＥＤ２ｆと第２ＬＥＤ２ｓとは、異なる形状の凹所を備えた構造だけに限られず、同じ形状の凹所を備えた構造としてもよい。
【００２３】
有色ＬＥＤ２ｃは、たとえば、赤色光、緑色光、青色光、黄色光、青緑色光、黄緑色光若しくは橙色光などの有彩色の光を放射可能な構成が挙げられる。有色ＬＥＤ２ｃは、たとえば、ＬＥＤチップ２ｊに、赤色ＬＥＤチップ、緑色ＬＥＤチップ、青色ＬＥＤチップ、黄色ＬＥＤチップ、青緑色ＬＥＤチップ、黄緑色ＬＥＤチップ若しくは橙色ＬＥＤチップを用いることができる。２種類以上の有色ＬＥＤ２ｃは、複数の赤色ＬＥＤ２ｒと、複数の緑色ＬＥＤ２ｇと、複数の青色ＬＥＤ２ｂと、を含んでいることが好ましい。複数の赤色ＬＥＤ２ｒは、赤色光を放射する。複数の緑色ＬＥＤ２ｇは、緑色光を放射する。複数の青色ＬＥＤ２ｂは、青色光を放射する。ＬＥＤモジュール１０ａは、複数の赤色ＬＥＤ２ｒと、複数の緑色ＬＥＤ２ｇと、複数の青色ＬＥＤ２ｂと、を含んだ３原色の有色ＬＥＤ２ｃを用いることにより、白色を含む任意の色調の光を放射させることが可能となる。
【００２４】
配線基板３は、長尺の板状に形成されている。配線基板３には、厚み方向に貫通する複数の孔部３ｈを備えている。配線基板３の第１面３ａａには、ＬＥＤ２と各種の電子部品３ｊとが配置されている。電子部品３ｊは、たとえば、固定抵抗器、コンデンサ、ＩＣやジャンパー素子などが挙げられる。配線基板３の第１面３ａａには、複数のＬＥＤ２が、配線基板３の長手方向に沿って、一列のライン状に並べて配置されている。配線基板３の第１面３ａａとは反対の第２面３ｂａには、接続端子部３ｔが設けられている。配線基板３は、第１面３ａａに所定の形状の配線を備えている。ＬＥＤ２や電子部品３ｊは、半田からなる接合部により、配線基板３の配線と電気的に接続されている。接続端子部３ｔは、半田からなる接合部により、配線基板３の第２面３ｂａから第１面３ａａに挿通させたリードピンが配線と電気的に接続されている。配線基板３は、配線を用いて、接続端子部３ｔと、電子部品３ｊと、ＬＥＤ２とを電気的に接続している。接続端子部３ｔは、複数のＬＥＤ２のうち、異なる色の光を放射するＬＥＤ２ごとに個別に給電できるように、配線と電気的に接続されている。
【００２５】
配線基板３は、たとえば、ガラスエポキシ基板を用いて形成することができる。配線基板３は、ガラスエポキシ基板だけに限らず、たとえば、金属ベースプリント配線板、セラミック基板などを用いて形成してもよい。配線は、たとえば、銅や銅合金を用いることができる。配線基板３の第１面３ａａには、長手方向に沿って、４５個のＬＥＤ２が配置されている。配線基板３は、１８個の白色ＬＥＤと、９個の赤色ＬＥＤ２ｒと、９個の緑色ＬＥＤ２ｇと、９個の青色ＬＥＤ２ｂとが配置されている。配線基板３の第１面３ａａでは、２個の白色ＬＥＤと、２個の白色ＬＥＤで挟まれた、１個の赤色ＬＥＤ２ｒと１個の緑色ＬＥＤ２ｇと１個の青色ＬＥＤ２ｂとで形成されたグループ１０Ｇが９個形成されている。配線基板３は、ＬＥＤ２および各種の電子部品３ｊの搭載部位以外の第１面３ａａが、白色のレジスト層などで覆われていてもよい。配線基板３は、白色のレジスト層で、反射層を形成することができる。反射層は、ＬＥＤ２から放射された光が配線基板３に吸収されることを抑制することができる。
【００２６】
ＬＥＤモジュール１０ａは、図６に示すように、複数の第１ＬＥＤ２ｆを電気的に直列に接続させた第１回路３ｆを有している。第１回路３ｆは、直列接続された複数の第１ＬＥＤ２ｆの一端と、共通電極３ｅとを電気的に接続させている。第１回路３ｆは、直列接続された複数の第１ＬＥＤ２ｆの一端と反対の他端を、第１個別電極３ｋと電気的に接続させている。第１回路３ｆは、たとえば、１８個の白色ＬＥＤを備えた構成とすることができる。ＬＥＤモジュール１０ａは、第１回路３ｆに流れる電流を制御することで、白色ＬＥＤから放射される白色の光の出力を調整することができる。第１回路３ｆは、複数の白色ＬＥＤを電気的に直列に接続させた構成だけに限られない。第１回路３ｆは、複数の白色ＬＥＤを電気的に並列に接続させてもよいし、複数の白色ＬＥＤを電気的に直並列に接続させてもよい。
【００２７】
ＬＥＤモジュール１０ａは、複数の赤色ＬＥＤ２ｒを電気的に接続させた第２回路３ｒを有している。第２回路３ｒは、直列接続された複数の赤色ＬＥＤ２ｒの一端と、共通電極３ｅとを電気的に接続させている。第２回路３ｒは、直列接続された複数の赤色ＬＥＤ２ｒの一端と反対の他端を、第２個別電極３ｍと電気的に接続させている。第２回路３ｒは、たとえば、９個の赤色ＬＥＤ２ｒを備えた構成とすることができる。ＬＥＤモジュール１０ａは、第２回路３ｒに流れる電流を制御することで、赤色ＬＥＤ２ｒから放射される赤色の光の出力を調整することができる。第２回路３ｒは、複数の赤色ＬＥＤ２ｒを電気的に直列に接続させた構成だけに限られない。第２回路３ｒは、複数の赤色ＬＥＤ２ｒを電気的に並列に接続させてもよいし、複数の赤色ＬＥＤ２ｒを電気的に直並列に接続させてもよい。
【００２８】
ＬＥＤモジュール１０ａは、複数の緑色ＬＥＤ２ｇを電気的に接続させた第３回路３ｇを有している。第３回路３ｇは、直列接続された複数の緑色ＬＥＤ２ｇの一端と、共通電極３ｅとを電気的に接続させている。第３回路３ｇは、直列接続された複数の緑色ＬＥＤ２ｇの一端と反対の他端を、第３個別電極３ｎと電気的に接続させている。第３回路３ｇは、たとえば、９個の緑色ＬＥＤ２ｇを備えた構成とすることができる。ＬＥＤモジュール１０ａは、第３回路３ｇに流れる電流を制御することで、緑色ＬＥＤ２ｇから放射される緑色の光の出力を調整することができる。第３回路３ｇは、複数の緑色ＬＥＤ２ｇを電気的に直列に接続させた構成だけに限られない。第３回路３ｇは、複数の緑色ＬＥＤ２ｇを電気的に並列に接続させてもよいし、複数の緑色ＬＥＤ２ｇを電気的に直並列に接続させてもよい。
【００２９】
ＬＥＤモジュール１０ａは、複数の青色ＬＥＤ２ｂを電気的に接続させた第４回路３ｂを有している。第４回路３ｂは、直列接続された複数の青色ＬＥＤ２ｂの一端と、共通電極３ｅとを電気的に接続させている。第４回路３ｂは、直列接続された複数の青色ＬＥＤ２ｂの一端と反対の他端を、第４個別電極３ｐと電気的に接続させている。第４回路３ｂは、たとえば、９個の青色ＬＥＤ２ｂを備えた構成とすることができる。ＬＥＤモジュール１０ａは、第４回路３ｂに流れる電流を制御することで、青色ＬＥＤ２ｂから放射される青色の光の出力を調整することができる。第４回路３ｂは、複数の青色ＬＥＤ２ｂを電気的に直列に接続させた構成だけに限られない。第４回路３ｂは、複数の青色ＬＥＤ２ｂを電気的に並列に接続させてもよいし、複数の青色ＬＥＤ２ｂを電気的に直並列に接続させてもよい。
【００３０】
ＬＥＤモジュール１０ａでは、異なる有彩色の光を放射する２種類以上の有色ＬＥＤ２ｃの光出力を個別に制御して、２種類以上の有色ＬＥＤ２ｃから放射された光を混色させることで、任意の色調の光を再現することが可能となる。２種類以上の有色ＬＥＤ２ｃは、異なる有彩色の光が補色関係にあれば白色の光を再現することができる。ＬＥＤモジュール１０ａは、第２回路３ｒ、第３回路３ｇ、第４回路３ｂそれぞれに流れる電流が各別に制御されることで、白色を含む任意の色調の光を放射させることができる。ＬＥＤモジュール１０ａは、有彩色の光の混色により白色の光を放射できればよく、任意の色調の光を放射させる構成だけには限られない。ＬＥＤモジュール１０ａは、赤色ＬＥＤ２ｒと緑色ＬＥＤ２ｇと青色ＬＥＤ２ｂの有色ＬＥＤ２ｃに加えて、単体で白色の光のみを放射する白色ＬＥＤを備えることで、白色の光の光出力を向上させることができる。ＬＥＤモジュール１０ａは、第１回路３ｆだけに電流を流す場合、白色ＬＥＤだけで白色の光を放射させることができる。
【００３１】
ＬＥＤモジュール１０ａは、有色ＬＥＤ２ｃの色むらを少なくできる白色ＬＥＤで、２種類以上の有色ＬＥＤ２ｃを挟んだグループ１０Ｇを形成していることにより、グループ１０Ｇ同士の色むらを少なくすることが可能となる。ＬＥＤモジュール１０ａは、グループ１０Ｇ内の白色ＬＥＤと有色ＬＥＤ２ｃとの第１距離２Ｎをグループ１０Ｇ間の白色ＬＥＤ同士の第２距離２Ｌよりも短くすることで、グループ１０Ｇ同士の色むらを、より少なくすることが容易となる。ＬＥＤモジュール１０ａは、グループ１０Ｇ内の有色ＬＥＤ２ｃ同士の第３距離２Ｔを、グループ１０Ｇ内の白色ＬＥＤと有色ＬＥＤ２ｃとの第１距離２Ｎよりも近く配置していることが好ましい。図４では、有色ＬＥＤ２ｃの中心と隣接する有色ＬＥＤ２ｃの中心との間の距離で第３距離２Ｔを例示している。ＬＥＤモジュール１０ａは、第３距離２Ｔが第１距離２Ｎよりも短いことで、隣接して配置される２種類以上の有色ＬＥＤ２ｃから放射された異なる有彩色の光同士の混色性を向上させることができる。
【００３２】
ＬＥＤモジュール１０ａは、隣接するＬＥＤ２同士の間隔が大きい場合、光が照射される照射面において、明るい所と暗い所とが顕在化する。ＬＥＤモジュール１０ａは、隣接するＬＥＤ２の間隔を狭くすることで、明るい所と暗い所とが顕在化することを抑制することができる。ＬＥＤモジュール１０ａでは、隣接するＬＥＤ２の間隔を狭くすれば、ＬＥＤ２の総数が多くなるため、暗い所が顕在化しない程度に必要な数のＬＥＤ２を配置させることが好ましい。ＬＥＤモジュール１０ａは、隣接して配置される有色ＬＥＤ２ｃから放射された異なる有彩色の光の混色により白色の光を放射させる場合、ＬＥＤ２同士の絶縁距離が確保できる程度に各ＬＥＤ２を近づけた配置とすることが好ましい。ＬＥＤモジュール１０ａは、長尺状の配線基板３における長手方向に沿って、複数のＬＥＤ２を一列に配置している。ＬＥＤモジュール１０ａは、一列に配置させた複数のＬＥＤ２を点灯させることにより、線状光源として利用することができる。投光器３０では、ＬＥＤ光源１０として線状光源となるＬＥＤモジュール１０ａを用いることで、ＨＩＤ(High Intensity Discharge)ランプや水銀灯を使用するものと比較して、小型化を図ることが可能となる。ＬＥＤモジュール１０ａは、配線基板３の長手方向において、異なる有彩色の光を放射する有色ＬＥＤ２ｃが一列に並ぶように配置することで、色調の異なる光を発光可能な線状光源を構成することができる。ＬＥＤモジュール１０ａは、配線基板３の短手方向に沿って、複数のＬＥＤ２の各々のアノード電極とカソード電極とを配置させることで、配線基板３の長手方向に沿って配置させる場合と比較して、複数のＬＥＤ２を近づけて配置させることが可能となる。ＬＥＤモジュール１０ａは、複数のＬＥＤ２をより近づけて配置させ、ＬＥＤ２の数をより増やすことで光出力の向上を図ることが可能となる。ＬＥＤモジュール１０ａは、異なる有彩色の光を放射する２種類以上の有色ＬＥＤ２ｃをより近づけて配置させることで、混色性の向上を図ることが可能となる。投光器３０は、ＬＥＤモジュール１０ａが狭角配光のＬＥＤ２を備えることで、ＬＥＤ２の光軸方向３０ａｘに沿った光をパラボラ曲線の焦点３０ａｚを通して反射部材３７に照射させやすくすることができる。
【００３３】
以下では、上述のＬＥＤモジュール１０ａが内部に収納される器具本体３１の構成について詳述する。
【００３４】
器具本体３１は、図１に示すように、本体部３２と、蓋部３３と、エンドパネル３４と、を備えている。器具本体３１には、取付部材３５と、拡散パネル３６と、反射板３７ａと、保護パネル３８とが設けられている。器具本体３１は、本体部３２と蓋部３３とが対向して配置される。器具本体３１は、本体部３２と、蓋部３３と、取付部材３５とで、角筒状の外形形状に形成されている。器具本体３１は、角筒状の長手方向に沿って、開口部３０ａａが形成されている。開口部３０ａａは、断面視において、本体部３２の一端部と蓋部３３の一端部との間に形成されている。器具本体３１は、角筒状の両端部をそれぞれ塞ぐように、エンドパネル３４が設けられている。
【００３５】
本体部３２は、側面視において、Ｌ字状に形成されている。本体部３２は、支持板３２ａと、突出板３２ｂと、フランジ部３２ｃと、を備えている。支持板３２ａは、長尺の板状に形成されている。支持板３２ａは、器具本体３１の内部に向かって突出する突出部３７ｂを備えている。突出部３７ｂは、滑らかな表面を備えている。突出部３７ｂは、支持板３２ａの長手方向に沿って設けられている。支持板３２ａは、中央部に開口３２ａａを備えている。開口３２ａａは、器具本体３１の外側に向かって開口している。支持板３２ａは、開口３２ａａに対応して、第１固定部３９ａが形成されている。第１固定部３９ａは、凹所を備えている。支持板３２ａは、第１固定部３９ａよりもフランジ部３２ｃ側に、嵌溝３２ａｋを備えている。嵌溝３２ａｋは、器具本体３１の内部に向かって開口する溝を構成している。嵌溝３２ａｋは、支持板３２ａの長手方向に沿って設けられている。支持板３２ａは、第１固定部３９ａよりも突出板３２ｂ側に、嵌込溝３２ａｈを備えている。嵌込溝３２ａｈは、器具本体３１の内部に開口する溝を構成している。嵌込溝３２ａｈは、支持板３２ａの長手方向に沿って設けられている。支持板３２ａは、嵌溝３２ａｋよりもフランジ部３２ｃ側に、挿通孔３２ａｊを備えている。挿通孔３２ａｊは、支持板３２ａの厚み方向に貫通している。挿通孔３２ａｊは、開口径が器具本体３１の外部に向かって拡がるテーパ形状に形成されている。
【００３６】
突出板３２ｂは、長尺の板状に形成されている。突出板３２ｂは、支持板３２ａの長手方向に沿って、支持板３２ａの短手方向の一端に設けられている。突出板３２ｂは、支持板３２ａに対し鈍角となる方向に突出している。突出板３２ｂは、先端に差込溝３２ｂａを備えている。差込溝３２ｂａは、器具本体３１の内部に向かって開口する溝を構成している。差込溝３２ｂａは、突出板３２ｂの長手方向に沿って設けられている。突出板３２ｂは、中央部に第２固定部３９ｂを備えている。第２固定部３９ｂは、器具本体３１の内部に向かって、突出している。第２固定部３９ｂは、断面視において、Ｃ字状の外形形状をしている。フランジ部３２ｃは、長尺の支持板３２ａの長手方向に沿って、支持板３２ａの短手方向の一端と反対の他端に設けられている。
【００３７】
フランジ部３２ｃは、図２に示すように、貫通孔３２ｃａが設けられている。フランジ部３２ｃは、貫通孔３２ｃａに螺子が挿通できるように構成されている。投光器３０は、フランジ部３２ｃの貫通孔３２ｃａに挿通する螺子により所定の台座に固定させることができる。本体部３２は、支持板３２ａと、突出板３２ｂと、フランジ部３２ｃとが一体的に形成されている。本体部３２の材料としては、アルミニウムを用いることができる。本体部３２は、アルミニウムの押し出し成形により形成されている。本体部３２は、陽極酸化処理により、酸化物の被膜が形成されている。本体部３２の材料は、アルミニウムだけに限られず、合成樹脂材料などを用いることもできる。本体部３２は、たとえば、艶消し黒色の塗料を用いて着色されている。
【００３８】
蓋部３３は、長尺の板状の外形形状に形成されている。蓋部３３は、長尺の平板３３ａを備えている。平板３３ａは、長手方向の長さが本体部３２の長手方向の長さと略同じ大きさとしている。蓋部３３は、平板３３ａの短手方向の中央部に第３固定部３９ｃを備えている。第３固定部３９ｃは、器具本体３１の内部に向かって、突出している。第３固定部３９ｃは、Ｃ字状の外形形状としている。蓋部３３は、平板３３ａの長手方向に沿って、平板３３ａの短手方向の一端に、切欠溝３３ａａが設けられている。切欠溝３３ａａは、平板３３ａの長手方向に沿って設けられている。蓋部３３は、器具本体３１の内部に突出する遮光板３３ｂを備えている。遮光板３３ｂは、ＬＥＤ光源１０からの光が反射面３７ａａで反射されないで開口部３０ａａから外部に放射されないように、ＬＥＤ光源１０を覆っている。遮光板３３ｂは、保護パネル３８の一端部が挿入される切欠溝３３ａａの深さ方向と直交する方向に沿って設けられている。遮光板３３ｂは、第４固定部３９ｄを備えている。第４固定部３９ｄは、器具本体３１の内部に向かって開口する凹所で形成されている。蓋部３３は、遮光板３３ｂよりも第４固定部３９ｄ側に嵌合溝３３ａｋを備えている。嵌合溝３３ａｋは、平板３３ａの長手方向に沿って設けられている。蓋部３３は、アルミニウムの押し出し成形により形成することができる。蓋部３３の材料は、アルミニウムだけに限られず、合成樹脂材料などを用いることもできる。
【００３９】
エンドパネル３４は、平板状の外形形状に形成される。エンドパネル３４は、厚み方向に貫通する貫通孔が設けられている。エンドパネル３４は、貫通孔に挿通された取付螺子３４ａにより、角筒状の器具本体３１における長手方向の端を塞ぐように取り付けられる。エンドパネル３４は、２つの取付螺子３４ａが本体部３２に取り付けられる。２つの取付螺子３４ａは、本体部３２の第１固定部３９ａと第２固定部３９ｂとに各別に固定される。エンドパネル３４は、２つの取付螺子３４ａが蓋部３３に取り付けられる。２つの取付螺子３４ａは、蓋部３３の第３固定部３９ｃと第４固定部３９ｄとに各別に固定される。エンドパネル３４は、たとえば、ステンレス若しくは合成樹脂材料などを用いて形成することができる。
【００４０】
取付部材３５は、本体部３２の長手方向に沿って長尺状の外形形状をしている。取付部材３５は、断面視において、Ｃ字状に形成されている。取付部材３５は、取付板３５ａと、固定板３５ｂと、覆板３５ｃと、を備えている。取付板３５ａは、平面視において、矩形板状に形成されている。固定板３５ｂは、長尺の平板状の外形形状をしている。覆板３５ｃは、長尺の平板状の外形形状をしている。取付板３５ａは、固定板３５ｂの長手方向に沿って、固定板３５ｂの短手方向の一端に設けられている。覆板３５ｃは、固定板３５ｂの長手方向に沿って、固定板３５ｂの短手方向の一端部と反対の他端部に設けられている。覆板３５ｃは、固定板３５ｂと直交する方向に突出している。取付板３５ａと覆板３５ｃとは、固定板３５ｂに対して同じ方向に突出している。取付板３５ａと覆板３５ｃとは、固定板３５ｂから遠ざかるについて、互いに離れる向きに配置されている。固定板３５ｂは、厚み方向に貫通する取付孔３５ｂａが設けられている。取付部材３５は、取付板３５ａと、固定板３５ｂと、覆板３５ｃとが一体に形成されている。取付部材３５は、たとえば、金属板の折り曲げ加工によって形成することができる。取付部材３５は、たとえば、アルミニウムの板材を用いて形成することができる。取付部材３５の材料は、アルミニウムだけに限られず、銅やステンレスなどの金属材料により形成してもよい。
【００４１】
取付部材３５は、バーリング加工した固定板３５ｂの取付孔３５ｂａにボルト３９ｆをねじ止めさせることで、本体部３２に固定される。取付部材３５は、取付孔３５ｂａを挿通するボルト３９ｆとナットにより、固定板３５ｂが本体部３２に固定される構成でもよい。取付部材３５は、固定螺子３９ｅにより、ＬＥＤモジュール１０ａの配線基板３が取付板３５ａに取り付けられるように構成されている。取付板３５ａには、配線基板３の第２面３ｂａに設けられた接続端子部３ｔを挿通する孔が設けられている。固定螺子３９ｅは、図５に示す配線基板３の孔部３ｈに挿入される。取付部材３５には、図２に示すように、たとえば、３つのＬＥＤモジュール１０ａが本体部３２の長手方向に沿って、一列に並んで配置されている。取付部材３５は、隣接するＬＥＤモジュール１０ａの間隔が何れも等しくなるように一列に並べた状態で、ＬＥＤモジュール１０ａを本体部３２に固定している。取付部材３５は、３つのＬＥＤモジュール１０ａを並んで配置する構成だけに限られない。取付部材３５は、ＬＥＤモジュール１０ａを１つ以上備えた構成とすることができる。取付部材３５は、金属材料より形成させることで、ＬＥＤモジュール１０ａの放熱板として利用することができる。投光器３０は、取付部材３５の材料を合成樹脂材料に比べて熱伝導性の高い金属材料により形成している場合、取付部材３５を介して、ＬＥＤモジュール１０ａの熱を効率よく外部に放熱させることが可能となる。
【００４２】
ＬＥＤモジュール１０ａは、配線基板３と取付板３５ａとを直接当接させて配置する構成だけには限られない。ＬＥＤモジュール１０ａは、放熱グリスを介して、配線基板３と取付板３５ａとを配置させることもできる。配線基板３と取付板３５ａとは、放熱グリスを介して、配置されることで、配線基板３の第２面３ｂａや取付板３５ａの表面に凹凸があっても、効率よく熱伝導させることができる。放熱グリスは、たとえば、シリコーン樹脂中に金属粒子やセラミックス粒子を含有した構成とすることができる。放熱グリスは、配線基板３と取付板３５ａとの密着性を高めることができる。ＬＥＤモジュール１０ａは、放熱グリスを用いることで、ＬＥＤ２で生じた熱を取付板３５ａに効率よく熱伝導させることができる。ＬＥＤモジュール１０ａは、放熱グリスを用いる場合だけでなく、配線基板３と取付板３５ａとの間に放熱シートを設けてもよい。放熱シートは、電気絶縁性と熱伝導性に優れ、弾性力を有するエラストマー材料を用いることができる。放熱シートは、たとえば、シリコーンゲルシートを使用することができる。シリコーンゲルシートは、ゲル状で架橋密度が低いシリコーン樹脂を用いて構成されている。放熱シートは、シリコーンゲルシートだけでなく、アクリル樹脂材料を用いてもよい。放熱シートは、粘着性を備えさせ接着シートとして機能させてもよい。
【００４３】
拡散パネル３６は、ＬＥＤモジュール１０ａを覆うことができるように構成されている。拡散パネル３６は、長尺の平板に形成されている。拡散パネル３６は、短手方向における両端部が、本体部３２の嵌溝３２ａｋと、蓋部３３の嵌合溝３３ａｋとに各別に嵌め合わせられるように構成されている。拡散パネル３６は、透光性を有している。拡散パネル３６は、ＬＥＤ２から放射された光を効率よく透過できる構成が好ましい。拡散パネル３６は、たとえば、アクリル樹脂、ポリカーボネート樹脂やガラスなどの透光性材料により形成することができる。拡散パネル３６は、射出成形などにより形成させることができる。拡散パネル３６は、ＬＥＤモジュール１０ａから放射された光の直進性を弱める光拡散性を備えている。拡散パネル３６は、長尺状のＬＥＤモジュール１０ａの長手方向において、一列に並ぶように配置された複数のＬＥＤ２からの光を、ＬＥＤ２それぞれが点状に発光する点光源から線状に発光する線状光源に見えるようにさせることができる。拡散パネル３６は、光拡散性を得るために、平板状の拡散パネル３６の何れか少なくとも一方の表面に凹凸を形成させることができる。拡散パネル３６は、拡散パネル３６の内部に光拡散材を含有させてもよい。光拡散材は、拡散パネル３６の材料と屈折率の異なる材料を用いればよい。拡散パネル３６は、反射面３７ａａにおけるパラボラ曲線の焦点３０ａｚの位置に配置されていることが好ましい。
【００４４】
反射部材３７は、反射板３７ａと、突出部３７ｂとで構成されている。反射板３７ａは、ベース部３７ａ１と、差込部３７ａ２と、嵌込部３７ａ３と、を備えている。ベース部３７ａ１は、本体部３２の長手方向に沿った長尺状に形成されている。ベース部３７ａ１は、断面視において、パラボラ曲線となる反射面３７ａａの一部を構成している。ベース部３７ａ１は、鏡面反射ができるように形成されている。ベース部３７ａ１は、スパッタリング法、蒸着法を用いて、表面に金属膜を形成することで、鏡面反射性を有するように形成することができる。
【００４５】
差込部３７ａ２は、ベース部３７ａ１の短手方向の一端に設けられている。差込部３７ａ２は、ベース部３７ａ１の長手方向に沿って長尺状に形成されている。差込部３７ａ２は、断面視において、Ｌ字状の外形形状をしている。嵌込部３７ａ３は、ベース部３７ａ１の短手方向の一端と反対の他端に設けられている。嵌込部３７ａ３は、ベース部３７ａ１の長手方向に沿って長尺状に形成されている。嵌込部３７ａ３は、断面視において、Ｖ字状の外形形状をしている。反射板３７ａは、金属板の折り曲げ加工により形成することができる。反射板３７ａの材料としては、たとえば、鉄若しくはステンレスなどの金属材料を用いることができる。反射板３７ａの材料としては、金属材料だけに限られず、合成樹脂材料を用いて形成してもよい。反射板３７ａは、鏡面仕上げしたアルミ箔付き鋼板を用いることができる。
【００４６】
反射板３７ａは、本体部３２に固定される。反射板３７ａは、突出板３２ｂの差込溝３２ｂａに、差込部３７ａ２が差し込まれることができるように構成されている。反射板３７ａは、支持板３２ａの嵌込溝３２ａｈに嵌込部３７ａ３が嵌め込まれる。反射板３７ａは、図１に示すように、差込溝３２ｂａに差込部３７ａ２が差し込まれ、嵌込部３７ａ３が嵌込溝３２ａｈに嵌め込まれることで、本体部３２に取り付けられる。反射板３７ａは、本体部３２に取り付けられることで、反射板３７ａの表面と、突出部３７ｂの表面とが連続する反射面３７ａａを形成する反射部材３７を構成している。反射面３７ａａは、断面視において、放物線の対称軸を中心とした片側の曲線を構成している。反射面３７ａａは、対称軸上に焦点３０ａｚが来るように構成されている。
【００４７】
投光器３０は、反射板３７ａの表面を第１反射面３７ａｒとし、突出部３７ｂの表面を第２反射面３７ｂｒに利用している。第１反射面３７ａｒは、鏡面反射ができるように構成されている。第２反射面３７ｂｒは、突出部３７ｂの表面に白色の艶消し塗料を塗布している。第２反射面３７ｂｒは、白色の艶消し塗料を突出部３７ｂに塗布することで、第１反射面３７ａｒよりも光を拡散させて反射させることができる。第２反射面３７ｂｒは、突出部３７ｂの表面に白色の艶消し塗料を塗布する構成だけに限られず、第２反射面３７ｂｒに凹凸加工を施すことにより形成してもよい。
【００４８】
保護パネル３８は、器具本体３１の長手方向に沿った開口部３０ａａを塞ぐことができるように構成されている。保護パネル３８は、長尺の平板に構成されている。保護パネル３８は、本体部３２の差込溝３２ｂａと、蓋部３３の切欠溝３３ａａとで、保護パネル３８の両端部が保持されるように構成されている。保護パネル３８は、短手方向の一端が反射板３７ａの差込部３７ａ２を介して、差込溝３２ｂａに差し込まれる。保護パネル３８は、開口部３０ａａを塞ぐことで、器具本体３１の内部に塵芥が進入することを抑制する防塵機能を持たすことができる。保護パネル３８は、開口部３０ａａを塞ぐことで、器具本体３１の内部に水が浸入することを防ぐ防水機能を持たすこともできる。保護パネル３８は、器具本体３１の開口部３０ａａを塞いで器具本体３１の内部を保護することができる。保護パネル３８は、透光性を有している。保護パネル３８は、ＬＥＤモジュール１０ａから放射された光を効率よく透過できる構成が好ましい。保護パネル３８は、たとえば、アクリル樹脂、ポリカーボネート樹脂若しくはガラスなどの透光性材料により形成することができる。保護パネル３８は、射出成形などにより形成させることができる。保護パネル３８は、ＬＥＤモジュール１０ａからの光を集光させるため、レンズ機能を備えた構成としてもよい。投光器３０は、反射部材３７で反射されたＬＥＤモジュール１０ａの光を、保護パネル３８を介して、器具本体３１の外部へ投光させることができる。
【００４９】
投光器３０には、ＬＥＤモジュール１０ａの接続端子部３ｔと電気的に接続させたコネクタ３０ａが取り付けられている。コネクタ３０ａは、器具本体３１の長手方向の端部から導出できるように設けられている。コネクタ３０ａは、複数の投光器３０に順送りに電力を供給する送り配線に利用することができる。投光器３０は、送り配線を行う場合、送り端子を用いて投光器３０から投光器３０へと電線の接続を行うことができるように構成されていればよい。投光器３０は、電源ユニット４０と電気的に接続することができるように構成されている。投光器３０は、電源ユニット４０の電源コード４０ｂの先端に設けられるプラグコネクタ４０ａがコネクタ３０ａに差込接続されるように構成されている。
【００５０】
電源ユニット４０は、図７で示すように、コントローラ４１と、複数の投光器３０と、外部電源５０とが電気的に接続されている。外部電源５０は、たとえば、商用交流電源などを利用することができる。電源ユニット４０は、投光器３０に電力を給電する電源回路部を有している。電源ユニット４０は、電源コード４０ｂを介して、投光器３０に電力を供給する。電源回路部は、たとえば、フィルタ回路、昇圧回路、降圧回路、制御回路などが挙げられる。電源ユニット４０は、投光器３０における第１回路３ｆと、第２回路３ｒと、第３回路３ｇと、第４回路３ｂとを各別に制御できるように構成されている。電源ユニット４０は、接続コード４１ｂを介して、コントローラ４１に電気的に接続されている。電源ユニット４０は、コントローラ４１からの信号に基づいて、投光器３０のＬＥＤ光源１０の発光を制御することができるように構成されている。コントローラ４１は、投光器３０の色調や光出力を調整することができるように、電源ユニット４０から投光器３０に供給する電力を調整する。コントローラ４１は、ＬＥＤモジュール１０ａのＬＥＤ２に流れる電流を調整することにより、調光や調色を行うことが可能となる。コントローラ４１は、たとえば、マイクロコンピュータなどを用いて構成することができる。
【００５１】
ところで、図８には、本実施形態と比較する比較例の投光器１３０を図示している。図中においては、同様の機能の部材に対し、同じ符号を付している。図８では、投光器１３０の発光面を人が覗き込む方向を、第１視認方向８Ａ、第２視認方向８Ｂ、第３視認方向８Ｃおよび第４視認方向８Ｄの矢印の向きでそれぞれ例示し、ＬＥＤ光源１０側への投射を破線の矢印で例示している。ここでは、保護パネル３８の表面３８ａａが発光面となる。
【００５２】
比較例の投光器１３０は、本実施形態の投光器３０と相違して、遮光板３３ｂが設けられていないため、第１視認方向８Ａから人が発光面を覗き込むと、直接的にＬＥＤ光源１０が視認される。投光器１３０は、直接的にＬＥＤ光源１０が視認されると、見栄えが悪いとされる虞がある。
【００５３】
本実施形態の投光器３０は、遮光板３３ｂを備えていることにより、第１視認方向８Ａから人が発光面を覗き込んでも、直接的にＬＥＤ光源１０が視認されることを防止することができる。言い換えれば、投光器３０は、ＬＥＤ光源１０と反射部材３７とが内部に設けられる器具本体３１を備えている。器具本体３１は、反射面３７ａａで反射されたＬＥＤ光源１０からの光を開口部３０ａａから外部に投光させる。器具本体３１は、ＬＥＤ光源１０の光軸方向３０ａｘの前方に遮光板３３ｂを設けている。遮光板３３ｂは、ＬＥＤ光源１０から開口部３０ａａに直接的に照射される光路の少なくとも一部を遮るようにＬＥＤ光源１０を覆うことが好ましい。
【００５４】
比較例の投光器１３０は、本実施形態の投光器３０と相違して、反射部材３７の反射面３７ａａ全体が一様な鏡面反射性を有している。投光器１３０は、反射部材３７が一様な鏡面反射性を有する反射面であるため、第２視認方向８Ｂから人が発光面を覗き込むと、反射部材３７のＬＥＤ光源１０に近い部分においてＬＥＤ２が直接的に照射された光とそれ以外の光との輝度差が大きくなる傾向にある。投光器１３０では、一列に配置された複数のＬＥＤ２を有する場合、特に、複数のＬＥＤ２が点状に発光して見える粒状感が高まる虞がある。
【００５５】
本実施形態の投光器３０では、第１反射面３７ａｒによりＬＥＤ光源１０からの光を効率よく、所定の投光方向３０ａｙに投光させることが可能となる。投光器３０は、第１反射面３７ａｒよりも光を拡散させる第２反射面３７ｂｒをＬＥＤ光源１０の近くにすることで、光出射効率の低下を抑制しつつ、ＬＥＤ光源１０に近い部分において、ＬＥＤ２から直接的に照射された光とそれ以外の光との輝度差を抑制できる。投光器３０は、複数のＬＥＤ２が配置された場所と、ＬＥＤ２同士の間に対応する場所とで、ＬＥＤからの光の輝度むらを抑制することができる。投光器３０は、第１反射面３７ａｒよりも第２反射面３７ｂｒをＬＥＤ光源１０の近くにすることで、外部から投光方向３０ａｙと異なる方向から開口部３０ａａを人が視認した場合、複数のＬＥＤ２が点状に発光して見える粒状感を弱めさせることができる。投光器３０は、第１反射面３７ａｒよりも第２反射面３７ｂｒをＬＥＤモジュール１０ａの近くに設けることで、ＬＥＤモジュール１０ａから放射される光出力の低下を抑制しつつ、複数のＬＥＤ２を線状光源として利用することが可能となる。
【００５６】
比較例の投光器１３０は、本実施形態の投光器３０と相違して、保護パネル３８の表面３８ａａの垂線方向３８ａｙと、投光方向３０ａｙとが略一致するように保護パネル３８を配置している。投光器１３０は、第３視認方向８Ｃ、若しくは第４視認方向８Ｄから人が発光面を覗き込むと、反射面３７ａａへ映り込んだＬＥＤ光源１０が視認される場合がある。投光器１３０は、反射面３７ａａへ映り込んだＬＥＤ光源１０が視認されると、見栄えが悪いとされる虞がある。
【００５７】
本実施形態の投光器３０は、遮光板３３ｂを備え、保護パネル３８の表面３８ａａの垂線方向３８ａｙと投光方向３０ａｙとのなす角が鋭角となることで、反射面３７ａａへ映り込んだＬＥＤ光源１０が視認されることを抑制することが可能となる。すなわち、本実施形態の投光器３０では、開口部３０ａａを塞ぐように器具本体３１に設けられる透光性の保護パネル３８を備えている。保護パネル３８は、ＬＥＤ光源１０から離れるにつれ、保護パネル３８の表面３８ａａの垂線方向３８ａｙが投光方向３０ａｙから離れる向きに配置されている。保護パネル３８は、保護パネル３８の表面３８ａａの垂線方向３８ａｙと投光方向３０ａｙとのなす角が鋭角となるように構成されていることが好ましい。
【符号の説明】
【００５８】
１０  ＬＥＤ光源
３０  投光器
３０ａａ  開口部
３０ａｘ  光軸方向
３０ａｙ  投光方向
３０ａｚ  焦点
３１  器具本体
３３ｂ  遮光板
３７  反射部材
３７ａａ  反射面
３７ａｒ  第１反射面
３７ｂｒ  第２反射面
３８  保護パネル
３８ａａ  表面
３８ａｙ  垂線方向
【図１】
0006376498.tif 000002
【図２】
0006376498.tif 000003
【図３】
0006376498.tif 000004
【図４】
0006376498.tif 000005
【図５】
0006376498.tif 000006
【図６】
0006376498.tif 000007
【図７】
0006376498.tif 000008
【図８】
0006376498.tif 000009